(57)【要約】プッシュ・トゥ・トーク(PTT)グループのような、通信グループにある複数の無線通信装置の少なくとも１つへの無線通信を制御している通信制御装置へのオープンインターフェースを選択的に維持するシステム、方法、およびコンピュータ装置である。１つの実施例では、無線通信装置は、基地局コントローラのような、通信制御装置に登録し、少なくとも１つのインターフェースは、通信制御装置と、ブロードキャストサービングノード(BSN)をともなうブロードキャストA10インターフェースのような、無線通信ネットワーク上の別のコンピュータ装置との間で確立される。その後、通信制御装置は、少なくとも１つの無線通信装置、すなわち通信グループの少なくとも１つのメンバー装置)が登録されている間に、インターフェースを維持し、グループ通信が無線通信装置に、より急速に送達することができるそのようなものである。
2011501892.tif 000002
【特許請求の範囲】
【請求項１】
通信グループにある複数の無線通信装置の少なくとも１つへの無線通信を制御している通信制御装置への開いたインターフェースを選択的に維持するための方法で、
通信制御装置での無線通信装置の通信グループのメンバーである、少なくとも１つの無線通信装置、前記通信グループのためのグループ直接通信を受信するように構成された前記少なくとも１つの無線通信装置、および前記通信制御装置からの選択的に登録されなくなる前記少なくとも１つの無線通信装置を登録することと、
前記通信制御装置と無線通信ネットワーク上の別のコンピュータ装置との間の少なくとも１つのインターフェース、および、前記少なくとも１つの無線通信装置へのグループ直接通信の送達を許可する少なくとも１つのインターフェースを確立することと、
前記少なくとも１つの無線通信装置が前記通信制御装置に登録されている間に、少なくとも１つのインターフェースを維持することとを具備する方法。
【請求項２】
前記通信制御装置は、登録された無線通信装置のリストをさらに維持し、登録されない無線通信装置上で前記リストから前記未登録の無線通信装置を取り除く請求項１の方法。
【請求項３】
未登録になる前記無線通信装置上の少なくとも１つのインターフェースをリリースすることをさらに含む請求項１の方法。
【請求項４】
登録された無線通信装置の前記リストは、前記通信制御装置で受信される少なくとも１つの無線通信装置からの登録で更新される請求項２の方法。
【請求項５】
少なくとも１つのインターフェースを確立することは、前記通信グループのための少なくとも１つのインターフェースを確立することである請求項１の方法。
【請求項６】
少なくとも１つのインターフェースを確立することは、それぞれの登録された無線通信装置のための少なくとも１つのインターフェースを確立することである請求項１の方法。
【請求項７】
前記登録された無線通信装置のための通信グループが前記リストに載っているかどうか判断することをさらに具備し、
少なくとも１つのインターフェースを維持することは、通信グループの少なくとも１つの無線通信装置が登録される限り、リストされた通信グループのための少なくとも１つのインターフェースを維持することである請求項２の方法。
【請求項８】
前記通信制御装置は基地局コントローラであり、別のコンピュータ装置はブロードキャストサービングノードであり、少なくとも１つのインターフェースを確立することは、ブロードキャストサービングノードと前記基地局コントローラの間のブロードキャストA10インターフェースを確立することである、請求項１の方法。
【請求項９】
前記少なくとも１つの無線通信装置への前記グループ直接通信は、少なくとも１つのPTTグループメンバーへのPTTグループコール通知である請求項１の方法。
【請求項１０】
通信グループにある複数の無線通信装置の少なくとも１つへの無線通信を制御している通信制御装置への開いたインターフェースを選択的に維持するためのシステムで、
無線通信ネットワーク、および、１つ以上の無線通信装置からの通信を選択的に受信することと、それらに登録された前記無線通信装置を選択的に有する状態で常駐する通信制御装置、および１つの登録された無線通信装置へのグループ直接通信の送達を許可するための、前記通信制御装置および無線通信ネットワーク上の別のコンピュータ装置の間のインターフェースを確立するようにさらに構成された前記通信制御装置と、無線通信装置の通信グループのメンバーである少なくとも１つの無線通信装置と、前記通信グループのためのグループ直接通信を受信するように構成される少なくとも１つの無線通信装置とを具備し、グループ通信を制御する通信制御装置で選択的に登録するおよび登録しないためにさらに構成され、
前記通信制御装置は、通信グループのメンバーである少なくとも１つの無線通信装置が前記通信制御装置に登録されている間に、少なくとも１つのインターフェースを維持するためにさらに構成されるシステム。
【請求項１１】
前記通信制御装置は、登録された無線通信装置のリストをさらに維持するように構成され、登録されていない無線通信装置上で、前記リストから前記未登録の無線通信装置を取り除く、請求項１０のシステム。
【請求項１２】
前記通信制御装置は、登録されなくなる前記無線通信装置上の前記少なくとも１つのインターフェースをリリースするようにさらに構成される請求項１０のシステム。
【請求項１３】
前記通信制御装置は、前記通信制御装置で受信されている少なくとも１つの無線通信装置からの登録上の前記リストを更新するようにさらに構成される請求項１１のシステム。
【請求項１４】
前記通信制御装置は、前記通信グループのための少なくとも１つのインターフェースを確立するようにさらに構成される請求項１０のシステム。
【請求項１５】
前記通信制御装置は、それぞれの登録された無線通信装置につき少なくとも１つのインターフェースを確立するためにさらに構成される請求項１０のシステム、
【請求項１６】
前記無線制御装置は、前記登録された無線通信装置のための通信グループが前記リストに載っているかどうか判断するためにさらに構成され、
少なくとも１つのインターフェースを維持することは、通信グループの少なくとも１つの無線通信装置が登録される長いものとして、リストされた通信グループのための少なくとも１つのインターフェースを維持することである請求項１１のシステム。
【請求項１７】
前記通信制御装置は基地局コントローラであり、別のコンピュータ装置はブロードキャストサービングノードであり、少なくとも１つのインターフェースを確立することは、ブロードキャストサービングノードと前記基地局コントローラの間のブロードキャストA10チャンネルを確立することである、請求項１０のシステム。
【請求項１８】
少なくとも１つの無線通信装置への前記グループ直接通信は、少なくとも１つのPTTグループメンバーへのPTTグループコール通知である請求項１０のシステム。
【請求項１９】
無線通信ネットワーク上に常駐し、その上、登録された無線通信装置のための無線通信を選択的に制御するように構成され、無線通信装置の通信グループのメンバーであり、通信グループのためのグループ直接通信を受信するように構成された少なくとも１つの無線通信装置と共に構成された通信制御装置で、
前記通信制御装置と、前記登録された無線通信装置に指示したグループ通信のための無線通信ネットワーク上の別のコンピュータ装置との間の１つ以上のインターフェースを確立するための手段と、
通信グループのメンバーである少なくとも１つの無線通信装置が前記通信制御装置に登録されている間に、少なくとも１つのインターフェースを維持するための手段とを具備する通信制御装置。
【請求項２０】
登録された無線通信装置のリストを維持するための手段と、
登録されない無線通信装置で、前記リストから前記登録されない無線通信装置を取り除くための手段とをさらに具備する請求項１９の通信制御装置。
【請求項２１】
前記通信制御装置で受信されている少なくとも１つの無線通信装置からの登録上の前記リストを更新するための手段をさらに具備する請求項２０の通信制御装置。
【請求項２２】
登録されなくなる前記無線通信装置上の前記少なくとも１つのインターフェースをリリースするための手段をさらに具備する請求項１９の装置。
【請求項２３】
前記通信グループのための少なくとも１つのインターフェースを確立するための手段をさらに具備する請求項１９の通信制御装置。
【請求項２４】
それぞれの登録された無線通信装置につき少なくとも１つのインターフェースを確立するための手段をさらに具備する請求項１９の通信制御装置。
【請求項２５】
前記少なくとも１つの無線通信装置へのグループ直接通信は、少なくとも１つのPTTグループメンバーへのPTTグループコール通知である請求項１９の通信制御装置。
【請求項２６】
前記通信制御装置は基地局コントローラであり、別のコンピュータ装置はブロードキャストサービングノードであり、前記少なくとも１つのインターフェースを確立するための手段は、ブロードキャストサービングノードと前記基地局コントローラの間のブロードキャストA10チャンネルを確立する、請求項１９の通信制御装置。
【請求項２７】
機械によって実行された時、前記機械に動作を実行することを引き起こさせる命令を具備し、前記命令は、
通信制御装置での無線通信装置の通信グループのメンバーである少なくとも１つの無線通信装置、前記通信グループのためのグループ直接通信を受信するように構成された前記少なくとも１つの無線通信装置、および、前記通信制御装置から選択的に未登録になる前記少なくとも１つの無線通信装置を選択的に登録するための１組の命令と、
前記通信制御装置と前記無線通信ネットワーク上の別のコンピュータ装置とのの間の少なくとも１つのインターフェース、それに加えて登録された無線通信装置のための無線通信を制御する前記通信制御装置、および、前記少なくとも１つの無線通信装置へのグループ直接通信の送達が許可される前記少なくとも１つのインターフェースを確立するための１組の命令と、
前記少なくとも１つの無線通信装置が前記通信制御装置に登録されている間に、前記少なくとも１つのインターフェースを維持するための１組の命令と
を具備するコンピュータ可読媒体。
【発明の詳細な説明】
【優先権の主張】
【０００１】
本願は、本願の譲受人に譲渡され、参照によって本願に完全に明確に組み込まれた、2007年9月24日出願の「CONTINUOUS INTERFACE MAINTENANCE FOR GROUP COMMUNICATIONS TO、WIRELESS COMMUNICATION DEVICE GROUP」と題された米国特許仮出願第60/974,838号、及び2007年9月24日に出願の「CONTINUOUS BROADCAST INTERFACE MAINTENANCE FOR GROUP COMMUNICATIONS TO WIRELESS COMMUNICATION DEVICES」と題された米国特許仮出願第60/974,839号に対する優先権を主張する。
【技術分野】
【０００２】
本発明は、ポイント・ツー・ポイントあるいはポイント・ツー・マルチポイントの無線通信システムに関する。
【０００３】
より具体的には、本発明は、通信グループのメンバーである無線通信装置への、プッシュ・トゥ・トーク(PTT)通信のような、グループ通信のための開かれた連続的なインターフェースを維持するためのシステム及び方法に関する。
【背景技術】
【０００４】
携帯電話の無線通信では、通信インフラの生成および機能性に関して実施された、いくつかの標準規格があった。CDMAが「符号分割多元接続」のための略語であるところで、より最近の標準規格のうちの１つはCDMA2000である。CDMA2000はブロードキャストマルチキャスト・サービス(BCMCS)を支援し、それは、携帯電話の電話会社のネットワークの１つ以上の範囲の１つ以上の無線通信装置へのBCMCSコンテンツストリーム(s)の送達のための無線通信インターフェースの最適化を許可する。CDMA2000プロトコルは、音声およびデータの両方ともが無線通信装置間で送信されることを可能にし、無線電気通信装置および無線アクセスネットワーク(RAN)の往復の両方、および、基地局、パケットデータサービングノード(PDSN)、およびブロードキャストサービングノード(BSN)のような通信制御装置の間に通信のための適切なリソース割付を判断する。
【０００５】
「プッシュ・トゥ・トーク」(PTT)能力と一般的に呼ばれる、迅速な１対１のあるいは１対複数の通信を提供する無線伝記通信サービスが存在する。通信する無線装置のための受信者装置の特定のPTTグループは、電話会社によって一般に構成される。PTT通信接続は、話し手とグループの各メンバー装置の間の半二重のリンクを活性化する無線装置についての単一のボタン押下およびすぐにそのボタンが放されることによって一般的に始められる。一旦ボタンが放されれば、装置は入ってくるPTT送信を受信することができる。いくつかの処理では、PTT話し手は、話し手が話している間、他のグループメンバーが話すことができない「発言権(floor)」を持つだろう。一旦、話し手がPTTボタンを放せば、グループの他の個人メンバも彼らのPTTボタンを取ることができ、彼らは発言するだろう。
【０００６】
音声通信の所望の直接性のために、PTTコールの信号路の非常に速い設定を持っていることは重要である。従って、通信の時間感度を与えられた、対象とする無線通信装置を備えたPTT通信設定を促進するためのシステムと方法を提供することは好都合だろう。そのようなシステムおよび方法は、PTT通信の中で、待ち時間遅れを別の方法で持つであろう、既存の携帯電話のネットワークインフラを有利に利用することができる。それは、本発明が主に導かれるという、無線通信装置との通信を促進する、そのようなシステムおよび方法の条件にこのようにある。
【発明の概要】
【０００７】
本発明の実施例は、プッシュ・トゥ・トーク(PTT)グループのような通信グループにある複数の無線通信装置の少なくとも１つへの無線通信を制御している通信制御装置への開いたインターフェースを選択的に維持するシステム、方法およびコンピュータ装置を含む。１つの実施例では、無線通信装置は、基地局コントローラのような、通信制御装置に登録し、少なくとも１つのインターフェースは、通信制御装置と、ブロードキャストサービングノード(BSN)とをともなうブロードキャストA10インターフェースのような、無線通信ネットワーク上の別のコンピュータ装置の間で確立される。その後、通信制御装置は、少なくとも１つの無線通信装置、すなわち通信グループの少なくとも１つのメンバー装置が登録されている間に、インターフェースを維持し、グループ通信が無線通信装置に、より急速に配達することができるそのようなものである。
【図面の簡単な説明】
【０００８】
【図１】図１は、グループ通信サーバーと通信する無線電気通信装置および無線ネットワークを介した他のコンピュータ装置の指定されたPTTグループを備えた無線ネットワークの代表的なダイヤグラムである。
【図２】図２は、PTTグループメンバーの無線電気通信装置間の通信を制御するグループ通信サーバーを有する、共通の携帯電話の電気通信構成中の無線ネットワークの１つの実施例の代表的なダイヤグラムである。
【図３】図３は、PTT能力で具体化された無線電気通信装置のコンピュータ・プラットフォームを例証するブロック・ダイヤグラムである。
【図４】図４は、CDMA2000アーキテクチャ中でのBCMCSデータストリーミングの一実施例を例証するブロック・ダイヤグラムである。
【図５】図５は、BSC/PCFとBSNの間のブロードキャストA10インターフェースを生成するBCMCSフロー登録の一実施例のコールフローダイアグラムである。
【図６】図６は、PTT通信グループの少なくとも一メンバーが登録されている間に、連続的なインターフェースを維持する通信制御装置についての処理の一実施例のフローチャートである。
【発明を実施するための形態】
【０００９】
この記述で、用語「通信装置」、「無線装置」、「無線通信装置」、「PTT通信装置」、「ハンドヘルド装置」、「モバイル装置」、および「ハンドセット」は交互に使用される。用語「コール」および「通信」も相互に使用される。ここに使用されるような用語「アプリケーション」は、実行可能及び実行可能で無いソフトウェアファイル、未加工データ、集められたデータ、パッチおよび他のコードセグメントを包含するように意図される。用語「典型的である(exemplary)」は、示された要素もしくは実施例が例のみであることを意味し、ユーザーの好みを示さない。さらに、同様の数字は、いくつかの図の全体にわたる同様の要素を参照し、冠詞「１つの(a)」「その(the)」は、記述に別段の定めがない限り複数の参照を含む。
【００１０】
更に、本発明は、CDMA2000ネットワークアーキテクチャ中で作動するように、ここでいくつかの実施例中で示される。参照は、CDMA2000システムの既知の標準規格および構成、および当業者の１人に知られているようにネットワークインターフェースに対して持たれることができる。
【００１１】
同様の数字が図１の至る所に同様の要素を表す図面への参照とともに、無線ネットワーク２０を介した他の無線電気通信装置と共に、無線電話１４、スマートページャー１６および携帯情報端末(PDA)１８のような、PTTグループ１２中で、１つ以上の無線電気通信装置へのグループ通信サーバー３２をともなう事についてのシステム１０の一実施例を例証する。システム１０では、無線電気通信装置１４、１６、１８は、複数の１つ以上の他の無線電気通信装置の対象の集合と無線通信ネットワーク２０を介して選択的に直接通信することの能力がある。例えば、携帯型電話１４のための対象の集合は、ページャー１６およびＰＤＡ１８のような通信グループ１２あるいはそれらのサブセットの中で、すべての装置になりえる。
【００１２】
この実施例では、無線電気通信装置(携帯型電話１４のような)は、無線装置が存在していること、言い換えれば無線ネットワーク２０についてアクセス可能であることを示すために、無線ネットワーク２０を介してサーバーサイドLAN３０の上で存在する、サーバー３２としてここに示された、少なくともグループ通信コンピュータ装置にフラグを送る。グループ通信コンピュータ装置３２は、最初の無線電気通信装置で示された対象の無線電気通信装置の集合をともに、この情報を共有することができ、また、無線ネットワーク２０を介してアクセス可能であるサーバーサイドLAN３０の上に常駐する他のコンピュータ装置とともに、さらに共有できる。グループ通信コンピュータ装置３２は、無線装置のためにグループ識別データを格納するための添付されたまたはかアクセス可能なデータベース３４を持つことができる。一般に、サーバーサイドLAN３０の上で、あるいは無線ネットワーク２０を横切って、あるいはインターネットに常駐するコンピュータ・コンポーネントの数が制限されていないことは評価されるべきである。
【００１３】
PTT通信のような直接通信は、通信する無線電気通信装置１４、１５、１８および対象のセットの１つ以上の他の無線電気通信装置の間の半２重通信路を通って確立されることができる。さらに、グループ通信コンピュータ装置３２は、対象のセットの無線電気通信装置の少なくとも１つが、無線ネットワーク２０上でそれらの存在のグループ通信コンピュータ装置３２に通知されている場合、対象のセットを備えた要求された直接通信を調整することを試みることができる。
【００１４】
グループ通信コンピュータ装置３２は、無線ネットワーク２０上でのそれらの存在のグループ通信コンピュータ装置３２に通知していなかった対象のセットの無線電気通信装置(あるいは少なくとも１)の全く無い状態での対象のセット１２への直接通信を調整する無線電気通信装置１４、１６、１８にさらに通知することができる。さらに、グループ通信コンピュータ装置３２が、グループ識別データの添付のデータベース３４を持っているようにここに示されている間において、グループ通信コンピュータ装置３２は、それについて存在するグループ同一性データを持ち、ここに記述されたストレージ機能をすべて実行することができる。
【００１５】
概観では、システム１０は、少なくとも１つの対象の無線通信装置(例えば携帯型電話１４)を備えたグループ通信およびグループ通信サーバー３２を確立する際に、要求を受信するように構成されたグループ通信サーバー３２とともに無線通信ネットワーク２０を介してグループ通信用の無線通信装置１４、１６、１８と選択的に通信し、また、入力されるグループ通信を示す無線通信ネットワーク２０を介して少なくとも１つの対象の無線通信装置に要求を送信する。中間のコンピュータ装置(図２の中の基地局コントローラ６４のような)は、グループ通信サーバー３２からのグループ通信を確立する要求を受信した少なくとも１つの対象の無線通信装置からアクセスチャンネルを介してアクセスチャンネル通信パケットを受信する。アクセス通信パケットは、少なくとも１つの無線通信装置１４へのグループ通信のためのリソースを示すメッセージのような、パケットの中にある、バンドルされた(bundled)メッセージがあるかどうかを示す。メッセージを束ねることによって、無線通信装置１４、１６、１８は、束ねられたメッセージのための無線通信装置１４、１６、１８から送られたメッセージ送信をすべて検査する必要がある、別のコンピュータ装置(基地局６０のような)なしで、入ってくる通信を処理する能力を示すメッセージを速く送信することができる。
【００１６】
グループ通信は、音声、アプリケーション、JPEG、TIFなどの中の画像のようなグラフィックメディア、あるいはMP3、MP4、WAVなどのようなオーディオファイルになりえる。媒体は、さらに、マルチメディアアプリケーション(Powerpoint、MOVファイルなど)のようなストリーミングメディアになりえる。さらに、グループ通信は、一般的に通信グループ１２のメンバーの間に半二重のオーディオの会議を開くことである。
【００１７】
図２は、PTTシステムでのグループメンバー(装置７０、７２、７４、７６)の無線通信装置間の通信を制御するグループ通信サーバー３２のような、一連のグループ通信コンピュータ装置を有する、共通の携帯電話電気通信構成の中の無線ネットワークの一実施例の代表的なダイヤグラムである。無線ネットワークは単に典型的であり、互いの間で、および互いの中で、および／または無線ネットワークキャリアおよび／またはサーバーなしで制限なく含む、無線ネットワーク２０のコンポーネントの間でおよびこれらの中で、遠隔モジュールが無線で通信することであらゆるシステムを含むことができる。一連のグループ通信サーバー３２はグループ通信サーバーＬＡＮ５０に接続される。無線電話は、データサービスオプションを使用するグループ通信サーバー(s)３２からのパケットデータセッションを要求することができる。さらに、BCMCSコントローラー３３がＬＡＮ５０に示され、その機能性は、図４と５中でより完全に以下に述べられる。
【００１８】
グループ通信サーバー３２は、PSDN５２のような無線サービスプロバイダー・パケット・データ・サービスノード(PDSN)、および／または、キャリアネットワーク５４でのようにここに常駐して示されたブロードキャストサービングノード５３に接続される。
【００１９】
PSDN５２あるいはBSN５３は、それぞれ、パケット制御機能(PCF)６２によって基地局６０の基地局コントローラー６４とインターフェースをとることができる。PCF６２は、基地局６０に典型的に位置する。キャリアネットワーク５４は、メッセージ・サービス・コントローラー(「MSC」)５８に送ったメッセージ(一般にデータパケットの形式で)を制御する。キャリアネットワーク３０は、ネットワーク、インターネットおよび／またはPOTS(「平易な通常の電話装置」)によりMSC３２と通信する。典型的には、ネットワーク、あるいはキャリアネットワーク５４とMSC５８との間のインターネット接続はテータを転送し、また、POTSは、音声情報を転送する。MSC５８は１つ以上の基地局６０に接続されることができる。キャリアネットワークと似た方法で、MSC５８は、両方のネットワーク、および／またはデータ転送のためのインターネット、および音声情報用のためのPOTSによって、ベース無線送受信局(「分岐に対する源」として時々参照した)(BTS)６６に典型的に接続される。BTS６６は、ショート・メッセージ・サービス(「SMS」)、あるいは従来から知られている他の無線の方法によって、携帯電話７０、７２、７４、７６のような、無線装置間で無線のようにメッセージを最終的にブロードキャストして受信する。
【００２０】
キャリアー境界および／またはPTTオペレーター・ネットワーク境界が、ここに記述されるようなデータの共有を妨げたり禁止したりしないことはさらに注目されるべきである。
【００２１】
無線電話１４のような携帯電話およびモバイル電気通信装置は、増加した演算能力をともなって製造されており、パーソナルコンピュータおよびハンドヘルドPDAに同等になっている。これらの「スマートな」携帯電話は、無線装置のプロセッサ上でダウンロード可能で実行可能なソフトウェアアプリケーションをソフトウェア開発者が開発することを可能にする。携帯電話１４のような無線装置は、ウェブページ、アプレット、MIDlets、ゲームおよびデータのような多くのタイプのアプリケーションをダウンロードすることができる。通信グループ１２(図１)を指定した無線装置中で、無線通信装置は、セットの別のメンバーに直接接続し、音声とデータ通信に従事することができる。
【００２２】
しかしながら、そのようなグループ直接通信のすべては、グループ通信サーバー３２を介して生じる、または、その制御にある。装置のすべてのデータパケットは、必ずしもグループ通信コンピュータ装置３２によってそれ自体を移動する必要があるとは限らず、しかし、および／または、通信グループのメンバーの同一性を検索することができ、別のコンピュータ装置に通信グループ１２のメンバーの同一性を指示することができることに気がつくただ一つのサーバーサイド３０コンポーネントに典型的になるので、グループ通信コンピュータ装置３２は通信を最終的に制御することができるに違いない。
【００２３】
図３は、装置の対象のセット、つまり、通信グループ１２の他のメンバーに直接通信を開く、PTTボタン７８を備えた携帯型電話１４である無線電気通信装置の１つの実施例を例証するブロック・ダイヤグラムである。無線装置１４は、無線装置１４のユーザーに対してグラフィックスディスプレイ８０を持っていることとしてさらに示される。無線装置１４は、音声とデータパケットを扱うことができ、グループ通信を含めるために無線ネットワーク２０を介して送信されたソフトウェアアプリケーションを受信して実行することができるコンピュータ・プラットフォーム８２を含んでいる。コンピュータ・プラットフォーム８２は、他のコンポーネント、特定用途向け集積回路(「ASIC」)８４、あるいは他のプロセッサ、マイクロプロセッサー、論理回路、プログラマブルゲートアレイあるいは他のデータ処理装置に共通して含んでいる。ASIC８４は、無線装置の製造の時にインストールされ、通常はアップグレード可能ではない。ASIC８４あるいは他のプロセッサは、アプリケーションプログラミングインターフェース(「API」)層８６を実行し、それは常駐のアプリケーション環境を含んでいて、ASIC８４に載せられたオペレーティング・システムを含むことができる。常駐アプリケーション環境は、無線装置のメモリ８８中の任意の常駐プログラムとインターフェースをとる。常駐のアプリケーション環境の一例は、無線装置プラットフォームのために、クゥアルコム（登録商標）によって開発されたソフトウェア「無線のための２進法のランタイム環境」(BREW)である。
【００２４】
ここに示されるように、無線装置はグラフィックスディスプレイ８０と共に、携帯型電話１４になりえるが、さらに携帯情報端末(PDA)のような既知のようなコンピュータ・プラットフォーム８２、グラフィックスディスプレイ２６を備えたページャー、あるいは無線通信ポータルを有する個々のコンピュータ・プラットフォームなどを備えた任意の無線装置になりえ、そしてそうでなければネットワークまたはインターネットに対して有線接続を有しているかもしれない。さらに、メモリ８８は、読み出し専用またはランダムアクセスメモリ(RAMとROM)、EPROM、EEPROM、フラッシュカードあるいはコンピュータ・プラットフォームに共通の任意のメモリで構成されることができる。コンピュータ・プラットフォーム８２は、さらにメモリ８８の中で動的に使用されないソフトウェアアプリケーションの記憶のためのローカルデータベース９０を含むことができる。ローカルデータベース９０は、１つ以上のフラッシュメモリ・セルで典型的に構成されるが、磁気媒体、EPROM、EEPROM、光学媒体、テープあるいはソフトまたはハードディスクのような従来から知られているような任意の第２または第３の記憶装置になりえる。
【００２５】
無線装置のこの実施例では、コンピュータ・プラットフォーム８２は、PTTコールの中で典型的に半二重の音声通信のために、無線装置から直接通信チャネルを開くことができる直接無線インターフェース９２をさらに含んでいる。直接無線インターフェース９２は、さらに無線装置間で送信された音声とデータを通常運ぶ無線装置用の標準規格の通信インターフェースの一部になりえる。直接無線インターフェース９２は、従来から知られているようにハードウェアで典型的に構成される。
【００２６】
図４は、CDMA2000アーキテクチャ中でのBCMCSデータストリーミングの一実施例を例証するブロック・ダイヤグラムである。ここに示されたのは、潜在的な(potential)ホームネットワーク、サービングネットワーク、および様々な常駐要素を備えたサードパーティー場所(locations)がである。BCMCSコントローラー１１０は、BSN１２２(SAAA１１２による)、BCMCSコンテンツサーバ、移動局１２６(PDSN１２０機能による)、およびRAN(BSN１２２機能による)へのBCMCSセッション情報を管理することおよび提供することを担う。BCMCSコントローラー１１０は、移動局１２６が所望のコンテンツを見つけるのを支援するために見つける動作(discovery operations)を行なうかもしれない。
【００２７】
BCMCSコンテンツサーバ１１４はBCMCSコンテンツをIPマルチキャストストリーム内で利用可能にする。サービングネットワーク中のBCMCSコンテンツサーバ１１４は、必ずしもコンテンツの発生元か源ではないが、BSN１２２に達するコンテンツに先立ってコンテンツを処理する(例えば、再フォーマットする)最後のアプリケーションレベルエンティティ(entity)であることが注目されるべきである。BCMCSコンテンツサーバ１１４は、BCMCSコンテンツ・プロバイダー１００,１０８からのコンテンツを格納して送ってもよく、および／または多数のコンテンツ・プロバイダーからのコンテンツを合併してもよい。高次レイヤ暗号化が可能になる場合、BCMCSコンテンツサーバ１１４はストリームコンテンツを暗号化する。この実施例では、サードパーティー場所でのBCMCSコンテンツ・プロバイダー１０８はコンテンツの発生元か源である。
【００２８】
BCMCS加入者プロファイルマネージャー１０４は、承認されたBCMCSサービスに関する加入者プロファイルデータベース１０２中の加入者プロファイルを更新するアプリケーションである。ユーザーは、本アプリケーションに直接接続してもよく、あるいは、キャリアー・オペレーターは、それらの顧客サービス代理人への本アプリケーションへのアクセスを保存してもよい。ユーザーとBCMCS加入者プロファイルマネージャー１０４の間のインターフェース、およびBCMCS加入者プロファイルマネージャー１０４と加入者プロファイルデータベース１０２の間のインターフェースは、共通ネットワーク構成の実例となる目的のためにのみ示される。H-AAA１０６およびS-AAA１１２はBCMCS認証、認可および説明すること(accounting)を担う要素であり、BCMCSユーザープロファイルから情報を得るために加入者プロファイルデータベース１０２にアクセスする。
【００２９】
PDSN１２０は、ユニキャスト・パケット・データ・サービスをパケット・データセッション確立のために使用して、IPフローなどを加えて削除するために通信し、移動局(MS)１２６の間のIPトラヒックのための第１ホップルーターとして作動する。BSN１２２は、マルチキャストIPフローを加えて削除するために、BSC/PCF１２４と通信する。BSN１２２は、それ自体とBCMCSコンテンツサーバ１１４に接続する最も近いルーターとの間のマルチキャストIPフローをサポートする、運び手(bearers)を管理するためにIPマルチキャストプロトコルを使用するかもしれない。それは、BCMCSコントローラー１１０からマルチキャストIPフローへ受信されたフロー処理をさらに適用する。マルチキャストルータMR１１８は、コンテンツがBSN１２２とBCMCSコンテンツサーバ１１４との間の用意された穴を通して送信される場合に使用される任意のエンティティ(entity)である。この実施例では、このエンティティは、BCMCS情報取得、BCMCS登録および受信マルチキャストIPフローを行なうことを担う。BSC/PCF１２４は、信号、確立し、BSN１２２とMS１２６の間の持ち手チャネルを取り壊すことを担う。BSC１２４は、リソース、要求されたサービス品質(「QoS」)などの最適化のような考察に基づいたMS１２６への「最善の」運び手チャネルを選ぶ。
【００３０】
S-AAA１１２による、BCMCSコントローラー１１０とBSN１２２との間のインターフェースは、フロー処理(例えばヘッダ圧縮)のようなBCMCSセッション関連情報、要求された帯域幅のような適切なQoSパラメーター、および、定義済みのプロトコルによるBCMCSコントローラー１１０からBSN１２２までのBCMCSフローID、マルチキャストIPアドレス、およびポート番号の間の写像(mapping)を提供する。このインターフェースは、BCMCS登録とBCMCS認可情報をさらに交換する。BSN１２２とS-AAA１１２BSN１２２の間のインターフェースは、コンテンツフローのためのアカウント情報(accounting information)を典型的に生成するだろう。またBCMCSコントローラーとSAAAの間のインターフェース。このインターフェースはBCMCSコントローラー１１０に認証および認可情報を供給する。S-AAA１１２は、MS１２６によって引き起こされたBCMCS情報取得の間にH-AAA１０６からBCMCSコントローラー１１０に受信されたBCMCSユーザープロファイルを送るかもしれない。BCMCSコントローラー１１０は、S-AAA１１２までアカウント情報(accounting information)をさらに送るかもしれない。S-AAA１１２は、BSN１２２とBCMCSコントローラー１１０との間のBCMCSセッション関連情報を中継するためにさらに使用されるかもしれない。
【００３１】
BCMCSコントローラー１１０とBCMCSコンテンツ・プロバイダー１００,１０８インターフェースとの間のインターフェースは、コンテンツ・プロバイダー名、プログラム名、セッション記述(例えばコーデックタイプ)およびセキュリティ情報等を含む情報を交換する。このインターフェースは、BCMCSセッションの開始時刻およびBCMCSセッションの持続時間をさらに交換するかもしれない。BCMCSコントローラー１１０とBCMCSコンテンツサーバ１１４との間のインターフェースは、セキュリティ情報、マルチキャストIPアドレスおよびポート番号、およびコンテンツ管理情報(例えばBCMCSセッションの開始時刻およびBCMCSセッションの持続時間)を交換するかもしれない。BCMCSコントローラー１１０は、BCMCSフローを加えるか、修正するか、削除するこのインターフェースを使用し、また、このインターフェースは、BCMCSコンテンツサーバ１１４およびBCMCSコントローラー１１０のメッセージ認証のための機構をさらに供給し、そのメッセージの保全性を保護する。
【００３２】
BCMCSコントローラー１１０とMS/UIM１２６の間のインターフェースは、MS１２６の中のBCMCSクライアントアプリケーションに、利用可能なBCMCSセッション、つまり、典型的に含めてプログラム名、BCMCSフローID、マルチキャストIPフローが暗号化される場合のブロードキャストアクセスキー(BAK)(s)およびBAK終了時間、BCMCSセッションの開始時刻、BCMCSセッションの持続時間、フロー処理(例えばヘッダ圧縮)、およびセッション記述(例えば３６の符復号化タイプ)の持続時間などに関する情報へのアクセスを提供する。PCF１２４は、PDSN１２９にA11登録要求メッセージを送信することにより、A10接続の設定を開始する。A11登録要求メッセージは、CDMA2000標準規格中で指定された拡張を含んでいる。A11登録要求メッセージは構造化可能な数の回数だけ再送達されるかもしれず、また、接続設定要求が承認可能である場合PDSN１２０は、PDSNセッション識別子(PDSN SID)とIMSIアドレスの間の関連性、および、PCFアドレスおよびPDSN住所情報の間の関連性を生成す津ことにより、A10接続のためのそのバインディング記録(binding record)を更新する。PSDN SIDはPCFセッション識別子(PCF SID)と同一である。PCFかPDSNのいずれかが適切なセッション識別子バージョンをサポートしない場合、PDSNは任意のPDSN SIDを選ぶかもしれない。
【００３３】
PCF１２４およびPDSN１２０は、ユーザ情報(user traffic)の転送のためのA10接続としてのA11登録応答メッセージの中で返されたPCF-IPアドレスおよびPDSNIPアドレスを使用する。PCFIPアドレスおよびPDSNIPアドレスはそれぞれのA10接続のために一意のリンクレイヤIDを形成する。PCF１２４およびPDSN１２０は、A10接続とのモバイルのIMSIアドレスの関連を維持する。しかしながら、A10接続の開放(release)は、PCF１２４によって典型的に制御され、PDSNは、A10コネクション開放をさらに開始することができ、PDSN１２０は、できる、PCF１２４が接続をリリースすることを要求することができる。
【００３４】
図５は、BSC/PCF１４２とBSN１４４の間のブロードキャストA10インターフェースを生成するBCMCSフロー登録の一実施例を示すものである。MS１４０はコンテンツアベイラビリテイ(content availability)および無線パラメーターおよびオーバヘッドメッセージからの情報を受信する。MS１４０は、認可署名(signature)を含むことに伴い、BCMCS_FLOW_ID(s)のためのBCMCS登録を行なう。BSC/PCF１４２がBAK情報を有する場合、RANはBAK_HASHをチェックするかもしれない。BSC/PCF１４２は、RANセッション情報を要求するためにBSN１４４にA11 BCサービス要求を送信し、BCMCS_FLOW_IDおよび認可署名を含む。
【００３５】
BSN１４４は、S-AAA/BCMCSのコントローラー１４６へ、ユーザサービス中での遠隔認証ダイアル(「RADIUS」)アクセス要求メッセージを送る。メッセージは、BCMCS_FLOW_ID、認可パラメーターおよび理由コード(Reason Code)を含む。この例において、BSN１４４は、認可およびBSNセッション情報の両方が必要であることを示すために、Reason１コードから３を設定する。BCMCSコントローラー１４６は認可を行なう。その後、BCMCSコントローラー１４６は、BCMCSセッション情報を含むBSN１４４にRADIUSアクセス承認メッセージを送信する。BSN１４４は、RANが必要とするBCMCSセッション情報を含むBSC/PCF１４２にBCサービス応答を送る。ブロードキャストA10接続を設定するために、RANはBSN１４４にBC登録要求を送信する。BSN１４４はBC登録応答で応答する。RANはMS１４０に登録承認を送る。BSN１４４はBCMCSフロー(s)を終了するためにRANにA11-BC登録更新メッセージを送信するかもしれない。マッピングがBSN１４４であらかじめ供給された情報(BCMCSFlowID; マルチキャストIP アドレス/ポート)である場合、BSC/PCF１４２とBSN１４４の間のBC登録要求および応答のみが必要である。
【００３６】
典型的には、MS１４０は、マルチキャスト・フロー(BCMCSフロー)が開始する際、BCMCSフロー登録メッセージを送信することを認められる。BCMCSフロー登録メッセージが許可された登録期間(例えば、過度に早くあるいは過度に遅く)に受信されない場合、RANは一般的に登録を無視する。しかしながら、いくつかの「動的な(dynamic)」グループ通信については、フローの開始時刻はMS１４０に知られていない。例えば、PTTグループコールの開始は任意で、MS１４０に前もって知られていない。PTTグループコールの最初のマルチキャストメッセージは、典型的に複数のグループメンバー（例えば無線通信装置１４、１６および１８)のもとへPTTサーバーによって送られるコール通知メッセージである。BSN５３と基地局６０の間のブロードキャストA10接続が、コール通知の時間で開いていない場合、メッセージは落とされることができるかあるいは遅らせることができた。したがって、少なくとも１つのグループメンバーが存在する限り、いつもそのような動的なBCMCSフローのための連続的なブロードキャストA10接続を維持することは望ましい。
【００３７】
図６は、PTT通信グループの少なくとも一メンバーが登録されている間に、連続的なインターフェースを維持する通信制御装置(図４の中のBSC/PCF１２４のような)上のプロセスの一実施例のフローチャートである。ステップ１５０で示されるように、登録は無線通信装置１４、１６、１８から受信され、次に、判断は、判断１５２で示されるような、登録がPTTグループ(あるいは他の動的なグループ)のためのコール通知フローのためのものかどうかに関してなされる。登録が、判断１５２としてPTTグループあるいは他の動的なグループのためのコール通知フローのためのものでない場合、判断１６４で示されるように、登録が許可された登録時間期間に受信される場合のみ、ブロードキャストA10接続が確立される。この場合、その接続はステップ１６６で開かれるだろう。そうでなければ、終了１７２で示されるように、その登録は無視され、プロセスは終了する。
【００３８】
そうでなければ、登録が判断１５２でのPTTグループのためのコール通知フローのためのものである場合、判断は、判断１５４で示されるように、PTTグループが通信制御装置でメンバーを登録するかどうかに関してなされる。この場合、グループのためのインターフェースは既に開いているはずであり、また、RANはグループのためにインターフェースを新しくリリースする必要はない。ステップ１５６で示されるように、RANはグループのグループメンバーリストに無線通信装置を単に加える必要がある。その通信グループのための通信制御装置上でまだ登録された装置がない場合、ステップ１５８で示されるように、その無線通信装置のための通信グループは通信制御装置のリスト上に格納され、次に、ステップ１６０で示されるように、インターフェースは無線通信装置について開かれる。
【００３９】
ブロードキャストA10インターフェースのようなインターフェースが無線通信装置について開かれた後、判断１６２で示されるように、その後、判断は無線通信装置が未登録であるかどうかに関してなされる。無線通信装置が判断１６２で未登録でない場合、待ち状態が入力され、また、無線通信装置が未登録であるまで、インターフェースは依然として開いたままである。一旦、判断１６２で無線通信装置が未登録であると、その後、判断は、判断１６８で示されるように、その無線通信装置の通信グループにいずれかの通信グループメンバーが残されているかどうかに関してなされる。登録されたままである通信グループのメンバーがある場合、次に、プロセススレッドは別の無線通信装置未登録を待つ判断１６２に返る。そうでなければ、通信グループのメンバーが判断１６８での通信制御装置(あるいは判断１５４で生じるかもしれないのと同じくらいの無線通信装置のための通信グループがなかった場合)のリスト上に登録されない場合、次に、ステップ１６８で示されるように、無線通信装置および／または通信グループに割り当てられたインターフェースは放され、次に、終了１７０で示されるように、プロセスは終了する。
【００４０】
システムは、１つの実施例中で、通信制御装置（BSC/PCF１４２)での無線通信装置の通信グループ(PTTグループ１２)のメンバーである、登録された少なくとも１つの無線通信装置１４を介した通信グループ(PTTグループ１２)にある、複数の無線通信装置１４、１６、１８の少なくとも１つへの無線通信を制御する、通信制御装置への開いたインターフェースを選択的に維持する創造性のある方法、通信グループのためにグループ直接通信を受信するように構成された少なくとも１つの無線通信装置１４、通信制御装置からの選択的に未登録になる少なくとも１つの無線通信装置１４、および、通信制御装置と無線通信ネットワーク(BSC.PCF１４２とBSN１４４の間で確立されているブロードキャストA10のような)との間の少なくとも１つのインターフェースを確立すること、少なくとも１つの無線通信装置１２へのグループ直接通信(例えばPTTグループコール通知)の送達を可能にする少なくとも１つのインターフェースを供給するシステムであると見ることができる。その後、少なくとも１つの無線通信装置１４が登録されている間に、少なくとも１つのインターフェースを維持することは、通信制御装置に登録されていることである。
【００４１】
１つの実施例では、通信制御装置(BSC/PCF１４２)は、登録された無線通信装置のリストをさらに維持することができ、未登録である無線通信装置１４上で、リストから未登録の無線通信装置を取り除く。その方法は、さらに未登録になる無線通信装置１４上の少なくとも１つのインターフェースをリリースすることをさらに含むことができる。少なくとも１つのインターフェースを確立することは、通信制御装置(BSC/PCF１４２)で受信されている少なくとも１つの無線通信装置１４へ指示された、つまり、入ってくるPTTコール通知が無線通信装置１４に送られているグループ直接通信について生じることができる。また、もしそのように具体化されれば、少なくとも１つの無線通信装置１４は、通信制御装置(BSC/PCF１４２)で受信されている少なくとも１つの無線通信装置１４へ指示された、グループ直接通信上のリストに置かれることができる。少なくとも１つのインターフェースを確立することは、それぞれの登録された無線通信装置１４、１６、１８につき、少なくとも１つのインターフェース(ブロードキャストA10インターフェースのような)を確立することである。
【００４２】
そのように具体化される、方法は、登録された無線通信装置１４のための通信グループ(PTTグループ１２)がリストに載っているかどうか判断することを含むことができ、そして、少なくとも１つのインターフェースを維持することは、通信グループの(PTTグループ１２)少なくとも１つの無線通信装置が登録される長いものとして、リストされた通信グループのための少なくとも１つのインターフェースを維持することである。通信制御装置が基地局コントローラ(BSC１４２)で、別のコンピュータ装置がブロードキャストサービングノード(BSN１４４)である場合、少なくとも１つのインターフェースを確立することは、BSN１４４とBSC１４２との間のブロードキャストA10インターフェースを確立することかもしれない。
【００４３】
モバイル装置および他のコンピュータ・プラットフォーム上で実行可能な方法を考慮して、方法は、それに応じてコンピュータ読み取り可能媒体における常駐のプログラムによって行なうことができ、ここでプログラムは、方法のステップを行なうためのコンピュータ・プラットフォームを持っているモバイル装置あるいは他のコンピュータ装置に命令する。コンピュータ読み取り可能媒体はサーバーのメモリになりえ、あるいは接続のデータベースになりえる。さらに、コンピュータ読み取り可能媒体は、従来から知られているような磁気ディスクかテープ、光ディスク、ハードディスク、フラッシュメモリーあるいは他の記憶媒体のような、無線通信装置コンピュータプラットフォーム上にロード可能な補助記憶装置媒体にある場合がある。
【００４４】
１つ又は複数の典型的な実施例において、説明された機能は、ハードウェア、ソフトウェア、ファームウェア、又はそれら任意の組み合わせによって実現されうる。ソフトウェアによって実現される場合、機能は、コンピュータ読取可能媒体上の１つ又は複数の命令又はコードとして格納又は送信されうる。コンピュータ読取可能媒体は、１つの場所から別の場所へのコンピュータ・プログラムの転送を容易にする任意の媒体を含む通信媒体及びコンピュータ記憶媒体両方を含む。記憶媒体は、コンピュータによってアクセス可能である任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、又は、コンピュータによってアクセス可能であり、命令又はデータ構成の形式で望まれるプログラム・コードを搬送又は格納するために用いられることができるその他任意の媒体を備えることができる。また、任意の接続が、コンピュータ読取可能媒体と適切に称される。例えば、ソフトウェアが、ウェブサイト、サーバ、又は、同軸ケーブル、光ファイバー・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバー・ケーブル、ツイスト線ペア、ＤＳＬ、又は、例えば赤外線、無線、及びマイクロ波のような無線技術は、媒体の定義内に含まれる。本明細書で用いられるディスク（disk）及びディスク（disc）は、コンパクト・ディスク（disc）（ＣＤ）、レーザ・ディスク（disc）、光ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光的にデータを再生する。上記の組み合わせもまた、コンピュータ読取可能媒体の範囲内に含まれるべきである。
【００４５】
発明がそれの好ましい実施例に関して特に示されて記述された一方、以下の請求項で述べられるような本発明の範囲から外れることは形式と詳細の様々な変更が行なわれるかもしれないことは当業者によって理解されるだろう。更に、発明の要素は単数で記述されるかもしれないし請求されるかもしれないが、複数形は、もし単数への制限が明示的に述べられなければ熟考される。
【図１】
2011501892.tif 000003
【図２】
2011501892.tif 000004
【図３】
2011501892.tif 000005
【図４】
2011501892.tif 000006
【図５】
2011501892.tif 000007
【図６】
2011501892.tif 000008
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
通信グループにある複数の無線通信装置の少なくとも１つへの無線通信を制御している通信制御装置への開いたインターフェースを選択的に維持するための方法で、
無線通信装置の通信グループのメンバーである少なくとも１つの無線通信装置から登録を受信することと、
前記登録がPTTグループあるいは他の動的なグループのための前記コール通知フローのためのものかどうか判断することと、
前記登録がコール通知フローのためのものである場合、通信制御装置での前記少なくとも１つの無線通信装置、前記通信グループのためのグループ直接通信を受信するように構成された前記少なくとも１つの無線通信装置、および前記通信制御装置からの選択的に登録されなくなる前記少なくとも１つの無線通信装置を登録することと、
前記通信制御装置と無線通信ネットワーク上の別のコンピュータ装置との間の少なくとも１つのインターフェース、および、前記少なくとも１つの無線通信装置へのグループ直接通信の送達を許可する少なくとも１つのインターフェースを確立することと、
通信グループの少なくとも１つの無線通信装置が前記通信制御装置に登録されている間に、少なくとも１つのインターフェースを維持することとを具備する方法。
【請求項２】
前記通信制御装置は、登録された無線通信装置のリストをさらに維持し、登録されない無線通信装置上で前記リストから前記未登録の無線通信装置を取り除く請求項１の方法。
【請求項３】
未登録になる前記無線通信装置上の少なくとも１つのインターフェースをリリースすることをさらに含む請求項１の方法。
【請求項４】
登録された無線通信装置の前記リストは、前記通信制御装置で受信される少なくとも１つの無線通信装置からの登録で更新される請求項２の方法。
【請求項５】
少なくとも１つのインターフェースを確立することは、前記通信グループのための少なくとも１つのインターフェースを確立することである請求項１の方法。
【請求項６】
少なくとも１つのインターフェースを確立することは、それぞれの登録された無線通信装置のための少なくとも１つのインターフェースを確立することである請求項１の方法。
【請求項７】
前記登録された無線通信装置のための通信グループが前記リストに載っているかどうか判断することをさらに具備し、
少なくとも１つのインターフェースを維持することは、通信グループの少なくとも１つの無線通信装置が登録される限り、リストされた通信グループのための少なくとも１つのインターフェースを維持することである請求項２の方法。
【請求項８】
前記通信制御装置は基地局コントローラであり、別のコンピュータ装置はブロードキャストサービングノードであり、少なくとも１つのインターフェースを確立することは、ブロードキャストサービングノードと前記基地局コントローラの間のブロードキャストA10インターフェースを確立することである、請求項１の方法。
【請求項９】
前記少なくとも１つの無線通信装置への前記グループ直接通信は、少なくとも１つのPTTグループメンバーへのPTTグループコール通知である請求項１の方法。
【請求項１０】
通信グループにある複数の無線通信装置の少なくとも１つへの無線通信を制御している通信制御装置への開いたインターフェースを選択的に維持するためのシステムで、
無線通信ネットワーク、および、無線通信装置の通信グループのメンバーである少なくとも１つの無線通信装置から登録を選択的に受信することと、前記登録がPTTグループあるいは他の動的なグループのためのコール通知フローのためのものかどうか判断することと、前記登録が前記コール通知フローのためのものである場合に、それらに登録された前記無線通信装置を選択的に有する状態で常駐する通信制御装置、および１つの登録された無線通信装置へのグループ直接通信の送達を許可するための、前記通信制御装置および無線通信ネットワーク上の別のコンピュータ装置の間のインターフェースを確立するようにさらに構成された前記通信制御装置と、無線通信装置の通信グループのメンバーである少なくとも１つの無線通信装置と、前記通信グループのためのグループ直接通信を受信するように構成される少なくとも１つの無線通信装置とを具備し、グループ通信を制御する通信制御装置で選択的に登録するおよび登録しないためにさらに構成され、
前記通信制御装置は、通信グループのメンバーである少なくとも１つの無線通信装置が前記通信制御装置に登録されている間に、少なくとも１つのインターフェースを維持するためにさらに構成されるシステム。
【請求項１１】
前記通信制御装置は、登録された無線通信装置のリストをさらに維持するように構成され、登録されていない無線通信装置上で、前記リストから前記未登録の無線通信装置を取り除く、請求項１０のシステム。
【請求項１２】
前記通信制御装置は、登録されなくなる前記無線通信装置上の前記少なくとも１つのインターフェースをリリースするようにさらに構成される請求項１０のシステム。
【請求項１３】
前記通信制御装置は、前記通信制御装置で受信されている少なくとも１つの無線通信装置からの登録上の前記リストを更新するようにさらに構成される請求項１１のシステム。
【請求項１４】
前記通信制御装置は、前記通信グループのための少なくとも１つのインターフェースを確立するようにさらに構成される請求項１０のシステム。
【請求項１５】
前記通信制御装置は、それぞれの登録された無線通信装置につき少なくとも１つのインターフェースを確立するためにさらに構成される請求項１０のシステム、
【請求項１６】
前記無線制御装置は、前記登録された無線通信装置のための通信グループが前記リストに載っているかどうか判断するためにさらに構成され、
少なくとも１つのインターフェースを維持することは、通信グループの少なくとも１つの無線通信装置が登録される長いものとして、リストされた通信グループのための少なくとも１つのインターフェースを維持することである請求項１１のシステム。
【請求項１７】
前記通信制御装置は基地局コントローラであり、別のコンピュータ装置はブロードキャストサービングノードであり、少なくとも１つのインターフェースを確立することは、ブロードキャストサービングノードと前記基地局コントローラの間のブロードキャストA10チャンネルを確立することである、請求項１０のシステム。
【請求項１８】
少なくとも１つの無線通信装置への前記グループ直接通信は、少なくとも１つのPTTグループメンバーへのPTTグループコール通知である請求項１０のシステム。
【請求項１９】
無線通信ネットワーク上に常駐し、その上、登録された無線通信装置のための無線通信を選択的に制御するように構成され、無線通信装置の通信グループのメンバーであり、通信グループのためのグループ直接通信を受信するように構成された少なくとも１つの無線通信装置と共に構成された通信制御装置で、
無線通信装置の通信グループのメンバーである少なくとも１つの無線通信装置から登録を受信するための手段と、
前記登録がPTTグループあるいは他の動的なグループのための前記コール通知フローのためのものかどうか判断するための手段と、
前記登録が前記コール通知フローのためのものである場合に、前記通信制御装置と、前記登録された無線通信装置に指示したグループ通信のための無線通信ネットワーク上の別のコンピュータ装置との間の１つ以上のインターフェースを確立するための手段と、
通信グループのメンバーである少なくとも１つの無線通信装置が前記通信制御装置に登録されている間に、少なくとも１つのインターフェースを維持するための手段とを具備する通信制御装置。
【請求項２０】
登録された無線通信装置のリストを維持するための手段と、
登録されない無線通信装置で、前記リストから前記登録されない無線通信装置を取り除くための手段とをさらに具備する請求項１９の通信制御装置。
【請求項２１】
前記通信制御装置で受信されている少なくとも１つの無線通信装置からの登録上の前記リストを更新するための手段をさらに具備する請求項２０の通信制御装置。
【請求項２２】
登録されなくなる前記無線通信装置上の前記少なくとも１つのインターフェースをリリースするための手段をさらに具備する請求項１９の装置。
【請求項２３】
前記通信グループのための少なくとも１つのインターフェースを確立するための手段をさらに具備する請求項１９の通信制御装置。
【請求項２４】
それぞれの登録された無線通信装置につき少なくとも１つのインターフェースを確立するための手段をさらに具備する請求項１９の通信制御装置。
【請求項２５】
前記少なくとも１つの無線通信装置へのグループ直接通信は、少なくとも１つのPTTグループメンバーへのPTTグループコール通知である請求項１９の通信制御装置。
【請求項２６】
前記通信制御装置は基地局コントローラであり、別のコンピュータ装置はブロードキャストサービングノードであり、前記少なくとも１つのインターフェースを確立するための手段は、ブロードキャストサービングノードと前記基地局コントローラの間のブロードキャストA10チャンネルを確立する、請求項１９の通信制御装置。
【請求項２７】
機械によって実行された時、前記機械に動作を実行することを引き起こさせる命令を具備し、前記命令は、
無線通信装置の通信グループのメンバーである少なくとも１つの無線通信装置から登録を受信するための１組の命令と、
前記登録がPTTグループあるいは他の動的なグループのための前記コール通知フローのためのものかどうか判断するための１組の命令と、
前記登録が前記コール通知フローのためのものである場合に、通信制御装置での少なくとも１つの無線通信装置、前記通信グループのためのグループ直接通信を受信するように構成された前記少なくとも１つの無線通信装置、および、前記通信制御装置から選択的に未登録になる前記少なくとも１つの無線通信装置を選択的に登録するための１組の命令と、
前記通信制御装置と前記無線通信ネットワーク上の別のコンピュータ装置とのの間の少なくとも１つのインターフェース、それに加えて登録された無線通信装置のための無線通信を制御する前記通信制御装置、および、前記少なくとも１つの無線通信装置へのグループ直接通信の送達が許可される前記少なくとも１つのインターフェースを確立するための１組の命令と、
通信グループの少なくとも１つの無線通信装置が前記通信制御装置に登録されている間に、前記少なくとも１つのインターフェースを維持するための１組の命令と
を具備するコンピュータ可読媒体。
【国際調査報告】
2011501892.tif 000009
2011501892.tif 000010
2011501892.tif 000011